(57)【特許請求の範囲】
【請求項１】
内容物を充填する容器本体と、その容器本体に一体的成形され内容物の充填、排出を行う口部を有する容器であって、
容器本体の胴部の少なくとも１箇所に、容器内に向けて局所的にへこませた外観形状を付与するアンダーカットを有し、該アンダーカットが少なくとも２つのブロックを組合わせてモールドキャビティを形成する割り型構造の金型内で型締の際に接触するブロックの対向面に設けられたスライド面に沿い相互に近接、離隔する向きに移動可能にスライドコアを配置し、前記金型のブロックとスライドコアの接触部分に対応する該アンダーカットの最外縁に形成されたパーティングラインを有することを特徴とするアンダーカット付き容器。
【請求項２】
前記容器は、容器本体の胴部の少なくとも１箇所に、容器内に向けて局所的にへこませた外観形状を付与するアンダーカットを有し、該アンダーカットを間に挟んで形成された容器の加飾面をスクイズすることによって該アンダーカットを屈曲変形させて内容物を排出することを特徴とする請求項1記載のアンダーカット付き容器。
【請求項３】
少なくとも２つのブロックを組合せてモールドキャビティを形成する割り型構造になる金型であって、
この金型は、ブロックとともにモールドキャビティの一部分を形成し、成形物品の胴部の少なくとも１箇所にアンダーカットを形成するとともに該ブロックとの接触部分でパーティングラインを形成するスライドコアを備え、
該スライドコアが、モールドキャビティを形成するブロックの一つに移動可能に片持ち支持されたものからなる、ことを特徴とするブロー成形用金型。
【発明の詳細な説明】
【０００１】
【発明の属する技術分野】
本発明は、アンダーカット付き容器及びその容器の成形に適したブロー成形用金型に関し、飲料や化粧料、洗剤等を充填する容器につき、その本体胴部に多種多様な加飾を施して他の容器との顕著な差別化を図ろうとするものである。
【０００２】
【従来の技術】
飲料や化粧料あるいは台所洗剤等を充填する容器は、近年、そのほとんどが合成樹脂にて構成されるようになってきており、その成形にはダイレクトブロー成形法あるいはインジェクションブロー成形法が採用されている。
【０００３】
このような合成樹脂製の容器は、容器の直立姿勢でその上部に内容物を取り出すための口部を備え、外観形状としてはボトル型をしているのが普通であり、容器の外観形状のみでもって他の容器と区別するのは難しい状況にある。
【０００４】
他の商品との差別化を図るため、従来は、容器の外表面に直接、文字や図形あるいは色彩等の印刷を施したり、予め加飾したラベルを容器の胴部に貼着するようにしている。
【０００５】
ところで、容器を加飾するためのラベルとしてインモールドラベルを用いる場合、物品の成形中に金型内でラベルがずれたり金型内の残存空気によってラベルに皺が発生する不具合がある。
【０００６】
また、容器を成形したのちにその外周を取り巻くように装着するシュリンクタイプのラベルも数多く使用されているが、この種のタイプのラベルはラベルを装着するための工程が別途必要であって生産コストを軽減するうえでは不利であり、さらに、この場合、装着形式はどれもほぼ同じであるから、ラベルのデザインの違いのみで商品の差別化を図らざるを得ず、有効な手段とはいえない。
【０００７】
一方、容器の胴部にジャバラ状、パルス状あるいは波状のアンダーカットを設けて容器の外観形状そのものに識別機能を付与して他の商品との差別化を図ることも考えられるが、このような特異な外観形状を有する容器では、加飾を施すべき外面にパーティングラインが形成されないように割り型の設計がなされるところ、その形状が金型の型開きに際して障害となるため成形品を取り出すことができない場合もあり、成形品の外観形状を自由に設定するにも限界がある。
【０００８】
【発明が解決しようとする課題】
本発明の課題は、他の容器との差別化を外観形状そのものによって実現できる容器とその容器の成形に適したブロー成形用金型を提案するところにある。
【０００９】
【課題を解決するための手段】
本発明は、内容物を充填する容器本体と、その容器本体に一体的成形され内容物の充填、排出を行う口部を有する容器であって、
容器本体の胴部の少なくとも１箇所に、容器内に向けて局所的にへこませた外観形状を付与するアンダーカットを有し、該アンダーカットが少なくとも２つのブロックを組合わせてモールドキャビティを形成する割り型構造の金型内で型締の際に接触するブロックの対向面に設けられたスライド面に沿い相互に近接、離隔する向きに移動可能にスライドコアを配置し、前記金型のブロックとスライドコアの接触部分に対応する該アンダーカットの最外縁に形成されたパーティングラインを有することを特徴とするアンダーカット付き容器である。
【００１０】
上記アンダーカットは、該アンダーカットを間に挟んで形成された容器の加飾面をスクイズすることによって該アンダーカットを屈曲変形させて内容物を排出する機能を有するものか、あるいは、容器本体の胴部を加飾するためのものが好ましい。
【００１１】
さらに、本発明は、少なくとも２つのブロックを組合せてモールドキャビティを形成する割り型構造になる金型であって、
この金型は、ブロックとともにモールドキャビティの一部分を形成し、成形物品の胴部の少なくとも１箇所にアンダーカットを形成するとともに該ブロックとの接触部分でパーティングラインを形成するスライドコアを備え、
該スライドコアが、モールドキャビティを形成するブロックの一つに移動可能に片持ち支持されたものからなる、ことを特徴とするブロー成形用金型である。
【００１３】
本発明においてアンダーカットとは、容器の胴部が、容器内に向けて局所的にへこんでいるものと定義し、それが間隔をおいて複数個配列され全体としてジャバラ状を呈するか、あるいはパルス状、波状を呈することによって容器の外観形状を形づくるものとする。
【００１４】
【発明の実施の形態】
加飾のために印刷を施す場合に悪影響を与えるパーティングラインを回避しつつ容器の胴部にアンダーカットを形成して他の容器との顕著な差別化を図る特異な外観形状を構成する。
【００１５】
金型については、ブロー成形に際して容器の胴部にアンダーカットを形成するとともに容易な型開きを導くスライドコアを別途設けてブロックとの組合せにてモールドキャビティを形成する。
【００１６】
【実施例】
以下、図面を用いて本発明をより具体的に説明する。
図１は両サイドにアンダーカットを有しそれを両側で挟む湾曲した面を加飾面（外表面）とする本発明に従う容器の外観を示したものである。図において１は内容物を充填する容器本体である。この容器本体１は湾曲面１ａを加飾面としてそこに文字や図形等の印刷を施すことができるようになっている。また、２は容器本体１に一体成形され内容物の充填、排出を行う口部であり、この例ではねじ止め式のキャップ３を装着した例で示してある。
【００１７】
また、４は容器本体１の胴部側面でその長手方向の全長にわたって形成されたアンダーカットであり、このアンダーカット４によって特異な外観形状を付与する。
【００１８】
図２は上掲図１に示した容器を成形するブロー成形用金型を、その平面で示したものである。図において５は割り型構造になる金型である。この金型５はブロック５ａとブロック５ｂからなり、金型５の内部にはスライドコア６がそれぞれ組み込まれている。
【００１９】
スライドコア６はその先端部が凸形状を有していてブロー成形に際して容器のアンダーカットを形成するものであって、この例ではブロック５ｂに片持ち支持されており、その駆動機構についての具体的構成は図示しないが、各スライドコア６はブロック５ａ、５ｂに設けられたスライド面ｓに沿い相互に近接、離隔する向きに移動することができるようになっている。
【００２０】
かかる金型５を用いてブロー成形するには、まず、ブロック５ａとブロック５ｂを接触させて型締を行い、さらにスライドコア６を相互に近接する向きに移動させブロック５ａ、5ｂ及びスライドコア６にて容器の成形にかかるモールドキャビティＣを形成したのち、そのキャビティＣの中にパリソンを配置するとともに常法に従いブロー成形を行う。
【００２１】
ブロー成形を終えて型開きを行うには、金型５内で互いに離反する向きにスライドコア６を移動させ、次いで、図３に示すように、ブロック５ａとブロック５ｂとを離間させる。
【００２２】
本発明に従う金型５は容器の胴部に大きなアンダーカット４を有する特異な形状を有する容器の成形においても、容易な型開きができるようにスライドコア６を後退移動させることができるので、成形すべき容器の外観形状に規制を受けることがなく様々は外観形状を有する容器のブロー成形が行える。また、パーティングラインはブロック５ａ、５ｂとスライドコア６の接触部分に形成されるので、加飾面を確実に確保できる。
【００２３】
図４、図５は本発明に従うアンダーカット付き容器の他の例を示したものである。このような容器をブロー成形するに当たっては、そのアンダーカットに適合する先端形状を有するスライドコアを適用すればよい。
【００２４】
また、スライドコア６は必ずしも金型の両サイドに設ける必要はなく、容器の形状によっては図６に示すような構成になる金型５を用いることができ、この場合、スライドコア６は一つでこと足りる。
【００２５】
上掲図１に示したアンダーカット４ではその部分の肉厚を薄くしてそれを両側に挟む加飾面１ａを押圧して内容物を排出するスクイズ形式の容器とすることができ、かかるアンダーカット４はジャバラ状、パルス状あるいは波状とすることもできる。
【００２６】
スライドコア６はリンク機構やスクリュー機構等、通常の駆動機構を適用して移動させることができるものであり、本発明ではとくに限定されない。
【００２７】
【発明の効果】
本発明によれば、パーティングラインや型開きの際の弊害を伴うことなしに、アンダーカットによって容器に様々な外観形状を付与することが可能であって、
他の容器との明確な差別化を図ることができる。
【図面の簡単な説明】
【図１】  本発明に従う容器の外観形状を示した図である。
【図２】  図１に示した容器のブロー成形に適した金型の平面を示した図である。
【図３】  図２に示した金型の型開き状態を示した図である。
【図４】  本発明に従う容器の他の例を示した図である。
【図５】  本発明に従う容器の他の例を示した図である。
【図６】  図４に示した容器の成形に適した金型の平面を示した図である。
【符号の説明】
１  容器本体
１ａ  加飾面
２  口部
３  キャップ
４  アンダーカット
５  金型
５ａ  ブロック
５ｂ  ブロック
６  スライドコア
ｓ  スライド面
Ｃ  モールドキャビティ
【図１】
0003977012.tif 000002
【図２】
0003977012.tif 000003
【図３】
0003977012.tif 000004
【図４】
0003977012.tif 000005
【図５】
0003977012.tif 000006
【図６】
0003977012.tif 000007